(57)【要約】【課題】一次分級性能を維持しながら搬送空気が衝突する偏流板の摩耗を最小限に抑え、長寿命化を可能とした縦型ローラミルを提供する。【解決手段】ケーシング２内で垂直駆動軸回りに回転する回転テーブル５と、該回転テーブル上面に押圧されつつ回転し固体原料５０を粉砕するローラ７と、前記回転テーブルの外周端に取付けられた空気供給リング１０と、前記空気供給リングより上方のケーシング内面に取付けられ上方側がケーシング中心に向けて傾斜した偏流板１８と、を備え、前記空気供給リング１０が環状の空気通路１５を形成する内側円環壁１２と外側円環壁１３からなり、該内側円環壁と外側円環壁の間に空気を偏流させる複数の偏流ベーン１６が配置された竪型ローラミル１において、前記外側円環壁１３に、前記空気を円環中心側に向けて偏流させる偏流リング１１を設けた構成とする。【選択図】図１
2007209838.tif 000002
【特許請求の範囲】
【請求項１】
ケーシング内で垂直駆動軸回りに回転する回転テーブルと、該回転テーブル上面に押圧されつつ回転し固体原料を粉砕するローラと、前記回転テーブルの外周端に取付けられた空気供給リングと、前記空気供給リングより上方のケーシング内面に取付けられ上方側がケーシング中心に向けて傾斜した偏流板と、を備え、前記空気供給リングが環状の空気通路を形成する内側円環壁と外側円環壁からなり、該内側円環壁と外側円環壁の間に空気を偏流させる複数の偏流ベーンが配置された竪型ローラミルにおいて、
前記外側円環壁に、前記空気を円環中心側に向けて偏流させる偏流リングを設けたことを特徴とする竪型ローラミル。
【請求項２】
前記偏流リングの断面形状が、三角状であることを特徴とする請求項１記載の竪型ローラミル。
【請求項３】
前記偏流リングの断面形状が正円状、長円状若しくは楕円状の何れかであることを特徴とする請求項１記載の竪型ローラミル。
【請求項４】
前記偏流リングが、前記空気の流線を前記偏流板の角度に対して０〜２０°の角度に偏流させるように設置されることを特徴とする請求項１記載の竪型ローラミル。
【請求項５】
前記偏流リングが、前記回転テーブル上方と前記空気供給リング下方の差圧が０．８〜１．２ＫＰａとなるように設置されることを特徴とする請求項１記載の竪型ローラミル。
【請求項６】
ケーシング内で垂直駆動軸回りに回転する回転テーブルと、該回転テーブル上面に押圧されつつ回転し固体原料を粉砕するローラと、前記回転テーブルの外周端に取付けられた空気供給リングと、前記空気供給リングより上方のケーシング内面に取付けられ上方側がケーシング中心に向けて傾斜した偏流板と、を備え、前記空気供給リングが搬送空気通路を形成する内側円環壁と外側円環壁からなり、該内側円環壁と外側円環壁の間に、前記回転回転テーブルの回転方向に対向して搬送空気を偏流させる複数の偏流ベーンが配置された竪型ローラミルにおいて、
前記空気供給リングの内側円環壁と外側円環壁が略同一長さを有し、これらの円環壁が略平行に設置されるとともに該円環壁が水平方向に対して５０〜７０°の傾斜となるように円環壁上方を中心へ向けて傾斜させたことを特徴とする竪型ローラミル。
【発明の詳細な説明】
【技術分野】
【０００１】
本発明は、回転テーブルと粉砕ローラにより石炭等の固体原料を粉砕する竪型ローラミルに関し、特に空気流の衝突による偏流板の磨耗を低減することができる竪型ローラミルに関する。
【背景技術】
【０００２】
従来、塊状の固体原料を粉砕して微粉化する装置としてローラミルが広く用いられている。例えば、ボイラの燃焼室へ送り込まれる石炭等の燃焼用原料は、微粉炭にされた方が燃え残る可能性が少なく燃焼効率が上がるため、一旦、石炭をローラミルに送り込み、粉砕して微粉炭にされる。このように原料を粉砕するローラミルには幾つか種類があるが、被粉砕物を載せる回転テーブルの駆動軸が縦に設置されているものを竪型ローラミルという。
【０００３】
このような竪型ローラミルは特許文献１（実開平４−１１０１４０号公報）等にて開示されている。この公知の竪型ローラミルを図４を参照して簡単に説明すると、該竪型ローラミル１は、粉砕対象物である固体原料５０を原料供給手段１から回転テーブル５上へ落としこみ、該落とし込まれた固体原料５０を遠心力で流動させて回転テーブル５の上面と、これに摺動するローラ７との間に挟み込んで押しつぶし粉砕する構成となっている。
粉砕された微粉原料５０は、回転テーブル５の外周に取り付けられている空気案内リング１０より供給される熱風の吹出流に乗り分級されて気流搬送されて上昇し、上方に位置するセパレータ１９の気流作用により更に分級を受け、十分に微粉化された微粉原料は頂上の出口管２０から排出される。空気案内リング１０からの搬送空気（以下、空気と称す）の吹出しが適正でない場合には、粉砕されずに回転テーブル５の外周の空気案内リング５とケーシング２の間の空間から下方に落ち込む粉砕対象物であるスピレージの量が多くなるため、これを適正に保つ必要がある。
【０００４】
搬送空気は、図６に示されるように回転テーブル５を囲繞するごとく取付けられた空気案内リング１０によって加速、方向づけされる。空気案内リング１０は所定の形に配列された複数のベーン（不図示）を有しており、このベーンの取付け角度により空気が回転テーブルに対して逆方向或いは順方向に流線を描くように吹出すようになっている。
空気案内リング１０から吹出した空気は、回転テーブル５上で粉砕された微粉原料５０を取り込んで一緒に吹き上げる。その際に空気案内リング１０の上方に設けられた偏流板１８に衝突して、搬送した微粉原料５０のうち粗大粒子若しくは重い粒子が一次分級される。
【０００５】
特許文献２（特開昭６２−１４４５４８号公報）では、空気案内リングから吹き上げる空気が不均一であることによるスピレージ量の増加を防止するために、上昇気流の案内羽根、即ちベーンを設けた構成が開示されている。また、本構成において、空気案内リングは、内側円環壁は回転テーブルに沿って垂直に配設され、外側円環壁は、ケーシングに設けられた断面形状三角形の張り出し（偏流板）に沿って傾斜させている。
また、特許文献３（特公平８−２４８５２号公報）には、空気案内リングの構成として、空気を通流する複数の通路セグメントを円形に組み合わせた構成を開示しており、これにより通路構成体に損傷又は摩耗が生じた場合、それを回転テーブルから取り外して交換することができ、また、損傷又は摩耗した通路セグメントだけを交換することも可能としている。
【０００６】
【特許文献１】実開平４−１１０１４０号公報
【特許文献２】特開昭６２−１４４５４８号公報
【特許文献３】特公平８−２４８５２号公報
【発明の開示】
【発明が解決しようとする課題】
【０００７】
しかしながら、上記した従来の竪型ローラミルにおいては、空気案内リングから吹き上げた空気が偏流板に衝突し、摩耗してしまうという問題があった。偏流板には摩耗し難い材料を利用しているが、長期間の使用により摩耗したり、固体原料中に硬い異物が混入している場合にはこの問題を回避できなかった。特に、空気案内リングからの空気が、偏流板に対して３０°の角度で衝突する場合に摩耗が著しくなってしまう。さらに、偏流板をケーシングに取付ける取付ボルトまで摩耗してしまうと、偏流板が脱落し、竪型ローラミルを運転停止せざるを得なかった。
特許文献２では、空気案内リングの外側円環壁が偏流板に沿って傾斜されているため、摩耗は防止できるものの、空気案内リングにおける空気通路の通路断面積が一定でなく且つ通路長が短いため、空気の整流効果が小さく、一次分級が困難であるという問題がある。
特許文献３では、ベーンが摩耗することに対する対策であり、偏流板の摩耗については言及されていない。
従って、本発明は上記従来技術の問題点に鑑み、一次分級性能を維持しながら空気が衝突する偏流板の摩耗を最小限に抑え、長寿命化を可能とした縦型ローラミルを提供することを目的とする。
【課題を解決するための手段】
【０００８】
そこで、本発明はかかる課題を解決するために、ケーシング内で垂直駆動軸回りに回転する回転テーブルと、該回転テーブル上面に押圧されつつ回転し固体原料を粉砕するローラと、前記回転テーブルの外周端に取付けられた空気供給リングと、前記空気供給リングより上方のケーシング内面に取付けられ上方側がケーシング中心に向けて傾斜した偏流板と、を備え、前記空気供給リングが環状の空気通路を形成する内側円環壁と外側円環壁からなり、該内側円環壁と外側円環壁の間に空気を偏流させる複数の偏流ベーンが配置された竪型ローラミルにおいて、
前記外側円環壁に、前記空気を円環中心側に向けて偏流させる偏流リングを設けたことを特徴とする。
【０００９】
本発明によれば、偏流リングにより偏流した空気の流線が偏流板に対して緩和された角度で衝突することとなり、これにより偏流板の摩耗を抑制することができ、長寿命化が達成できる。さらに本発明では空気通路の流路断面積を均一にでき、また円環壁を長くすることができるため、空気の整流効果を高くすることが可能で、延いては一次分級性能を向上させることができる。また、偏流リングを設置するのみの構成であるため、取付が容易で且つ既存のローラミルにも簡単に設置可能である。
【００１０】
また、前記偏流リングの断面形状が、三角状であることが好ましい。このように、断面三角状とすることによって、該偏流リングの下側傾斜面に沿って空気流が形成されるため、圧力損失が少なく好適である。
また、前記偏流リングの断面形状を正円状、長円状若しくは楕円状の何れかとしてもよい。このように断面円状の偏流リングを用いることにより、加工性が高く安価なコストで提供することが可能となる。
【００１１】
さらに、前記偏流リングが、前記空気の流線を前記偏流板の角度に対して０〜２０°の角度に偏流させるように設置されることを特徴とする。
これは、最も摩耗が著しくなる衝突角度が３０°程度であるため、本発明のごとく０〜２０°の衝突角度となるように偏流リングを設置することにより、摩耗を最小限に抑えることが可能となるものである。
【００１２】
さらにまた、前記偏流リングが、前記回転テーブル上方と前記空気供給リング下方の差圧が０．８〜１．２ＫＰａとなるように設置されることを特徴とする。
これにより、空気案内リングから吹き上げる空気流速が適正に保たれ、流速分級性能を向上させることができる。
【００１３】
また、ケーシング内で垂直駆動軸回りに回転する回転テーブルと、該回転テーブル上面に押圧されつつ回転し固体原料を粉砕するローラと、前記回転テーブルの外周端に取付けられた空気供給リングと、前記空気供給リングより上方のケーシング内面に取付けられ上方側がケーシング中心に向けて傾斜した偏流板と、を備え、前記空気供給リングが搬送空気通路を形成する内側円環壁と外側円環壁からなり、該内側円環壁と外側円環壁の間に、前記回転テーブルの回転方向に対向して搬送空気を偏流させる複数の偏流ベーンが配置された竪型ローラミルにおいて、
前記空気供給リングの内側円環壁と外側円環壁が略同一長さを有し、これらの円環壁が略平行に設置されるとともに該円環壁が水平方向に対して５０〜７０°の傾斜となるように円環壁上方を中心へ向けて傾斜させたことを特徴とする。
【００１４】
本発明によれば、内側円環壁と外側円環壁を中心に向けて傾斜させることにより、空気流と偏流板の衝突角度が小さくなり、偏流板の摩耗を低減することが可能となる。
また、これら円環壁の傾斜角度を水平方向に対して５０〜７０°とすることにより、回転テーブル差圧、さらには分級精度、スピレージ量等のミル特性を適正に保つことが可能で、且つ偏流板の摩耗を抑制できる竪型ローラミルを提供することができる。
【発明の効果】
【００１５】
以上記載のごとく本発明によれば、空気案内リングの外側円環壁内周面に偏流リングを設けることにより、偏流した空気の流線が偏流板に対して緩和された角度で衝突し、偏流板の摩耗を抑制することができ、長寿命化が達成できる。さらに本発明では、空気整流効果が高く且つ組み立て性、加工性が容易で、既存のローラミルにも簡単に設置可能である。
また、内側円環壁と外側円環壁を中心に向けて傾斜させることにより、一次分級性能を維持しながら搬送空気が衝突する偏流板の摩耗を最小限に抑え、長寿命化を可能とした縦型ローラミルを提供することができる。
【発明を実施するための最良の形態】
【００１６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の実施例１に係る空気案内リングの側断面図、図２は本発明の実施例２に係る空気案内リングの側断面図、図３は本発明の実施例３に係る空気案内リングの側断面図、図４は本発明の実施例に係る竪型ローラミルの全体構成を示す側断面図、図５は図４に示した竪型ローラミルの空気案内リングの拡大図である。
本実施例において、被粉砕物としては石炭等の固体燃料、石灰、スラグ等の塊状の固体原料が挙げられる。
【００１７】
まず、図４を参照して本実施例に係る竪型ローラミルにつき説明する。竪型ローラミル１は実質的に密閉したケーシング２と、該ケーシング２内に設けられた各構成部材からなる。ケーシング２内には、ケーシング内部に繋がる固体原料供給手段３と、該固体原料供給手段の投入口下方に設けられた回転テーブル５と、該回転テーブル上面に摺動する複数のローラ７と、回転テーブル５の周囲に取付けられた空気案内リング１０と、該空気案内リング１０の上方のケーシング内面に取付けられた偏流板１８と、回転テーブルの上方で固体原料供給手段を囲繞するごとく設置されたセパレータ１９と、ケーシング２上面に設けられた微粉出口管２０とが収容されている。
【００１８】
竪型ローラミル１の具体的構成とその作用を説明すると、回転式回転テーブル５はシャフト６に連結されており、該シャフト６に連結された図示略の駆動機構により回転駆動される。シャフト６の駆動に伴い、回転テーブル５は一方向に回転駆動されるようになっている。
ローラ７は、ケーシング２の内周面から離間して複数配置されており、互いに等距離に配置されるように適当に支持されている。本実施例では判り易くなるようにローラ７を１個だけ示してある。該ローラ７は図示略の軸に支持されており、該軸によりローラ７は回転テーブル５の上面に押し付けられ、回転テーブル５の回転に伴い摺動するようになっている。固体原料５０は固体原料供給手段３から回転テーブル５上面に供給され、ここで回転テーブル５とローラ７に挟まれて押しつぶし粉砕される。
【００１９】
一方、竪型ローラミル１では、固体原料５０を回転テーブル５からケーシング２内部を通じて微粉出口管２０から排出させるための搬送を実現させる搬送空気（以下、空気と呼称する）が用いられている。この空気は、微粉化した原料５０を分級した後に排出させるとともに、原料を乾燥させる機能も担っている。空気は、ケーシング２の下方に設けられた図示略の空気供給口から導入され、該回転テーブル５の外周端に取付けられた空気案内リング１０を経て偏流板１８により偏流され、回転テーブル５の表面上方へこれを取り巻くように流れる。空気案内リング１０及び偏流板１８の詳細な構成については後述する。
【００２０】
回転テーブル５上で粉砕された微粉原料５０は、回転テーブル５の中心部から遠心力により外側に投げ出される。これらの微粉原料５０は回転テーブル５の周辺部領域に達した時に、空気案内リング１０により吹き上げられる空気によって取り込まれて、空気に搬送される。微粉原料５０を同伴した空気の流れは偏流板１８に衝突し、含有する粗大粒子を分離する一次分級が行われる。そして、一次分級された粒子のみを同伴した空気はセパレータ１９に流入する。
セパレータ１９では、空気流中に残留する微粉原料５０をさらに選別して二次分級が行われる。即ち、所望の粒度を有する微粉原料５０はセパレータ１９を通り、空気とともにここから排出され、さらに微粉出口管２０よりケーシング２外へ排出される。一方、所望粒度よりも大きい微粉原料５０はセパレータ１９の斜面を介して再び回転テーブル５上へ送り返され、ここで再粉砕される。
【００２１】
ここで、空気案内リング１０につき図５に基づき説明する。空気案内リング１０は、回転テーブル５に周設された内側円環壁１２と、該内側円環壁１２から間隙を存して配設された外側円環壁１３と、該内側円環壁１２と外側円環壁１３との間の環状空気通路１５と、該空気通路１５に所定間隔で配設された複数のベーン１６とから構成される。また、空気案内リング１０の上方のケーシング２内面には、断面三角状の偏流板１８が設けられている。該偏流板１８は、回転テーブル５に対して隔離されて取付けられている。
【００２２】
本構成においてベーン１６は、ここを通過する空気がその方向を変え、回転テーブル５の回転方向Ｂに対して逆方向に空気流Ａが形成されるように配設されている。これは、空気の流れの中に同伴された微粉原料５０が回転テーブル５の回転方向と逆方向に運ばれて、その結果粗大粒子はその運動量を失って空気の流れから分離し、粗大粒子を回転テーブル５上へ送り返す働きをする。
偏流板１８は、微粉原料５０を同伴した空気の流れをケーシング２中心へ向けて偏流させる作用を有する。また、微粉原料５０を同伴した空気流が偏流板１８に衝突することにより、粗大粒子が落下して回転テーブル５上へと導かれる作用も有する。
【実施例１】
【００２３】
図１に本実施例１に係る竪型ローラミルの空気案内リングを示す。
本実施例１の空気案内リング１０は、上記したように内側円環壁１２と、外側円環壁１３と、該内側円環壁１２と外側円環壁１３の間に形成された円環状空気通路１５と、該空気通路１５に所定間隔で配設された複数のベーン１６とから構成され、これらが回転テーブル５に固定されて回転テーブル５と同体に回転する。ベーン１６は、空気通路１５を通過する空気の方向を決定するために設けられるが、本実施例では回転テーブル５の回転方向に対して逆方向に空気流が形成されるように配設しても良いし、順方向に空気流が形成されるように配設してもよい。必要に応じて内側円環壁１２の上端に水平状に塞ぎ板１４を設け、流路断面積を調整することにより空気流速調整を行うこともできる。
空気案内リング１０上方のケーシング２内壁面には所定の傾斜角度を有する偏流板１８が取付けられている。これは、ケーシング２に対してボルト１８ａ、１８ｂにより取付けられる。
【００２４】
さらに本実施例の特徴的な構成として、外側円環壁１３に内周面に偏流リング１１を設けた構成となっている。該偏流リング１１の断面形状は、正円状、長円状若しくは楕円状等の円状となっており、外側円環壁１３と接する側には、偏流リング１１と外側円環壁１３の間に空気が進入しないように溝を埋める保護部材１１ａを配してもよい。また、断面形状を半円状とすることもできる。偏流リング１１の設置位置は外側円環壁１３の上方に設けられ、着脱自在とすることが好ましい。
【００２５】
偏流リング１１を設けることにより、空気通路１５の下方から導入された空気は矢印Ａ方向に偏流され、該偏流した空気の流線は偏流板１８に対して緩和された角度で衝突することとなる。従って、偏流板の摩耗を抑制することができ、長寿命化が達成できる。
このとき、偏流リング１１が、空気の流線を偏流板１８の角度に対して０〜２０°の角度に偏流させるように設置することが好ましい。これは、最も摩耗が著しくなる衝突角度が３０°程度であるため、０〜２０°の衝突角度となるように偏流リング１１を設置することにより、摩耗を最小限に抑えることが可能となるものである。
【００２６】
さらに好適には、偏流リング１１が、回転テーブル５の上方位置Ｐと空気案内リング１０の下方位置Ｑの差圧が０．８〜１．２ＫＰａとなるように設置されている。即ち、これらの条件を満たすような偏流リング１１の形状、大きさ、位置とすることによって、空気案内リング１０から吹き上げる空気流速が適正に保たれ、流速分級が確実に行われることとなる。
【００２７】
本構成によれば、偏流リング１１を設けることにより偏流板の摩耗を抑制することができ、長寿命化が達成できる。さらに、空気通路１５の流路断面積を均一とすることができ、また円環壁１２、１３を長くすることができるため、空気の整流効果を高くすることが可能で、延いては一次分級性能を向上させることができる。また、本構成では偏流リング１１を設置するのみであるため、取付が容易で且つ既存のローラミルにも簡単に設置可能である。さらにまた、本構成では断面円状の偏流リングを用いているため、加工性が高く安価なコストで提供することができる。
【実施例２】
【００２８】
図２に本実施例２に係る竪型ローラミルの空気案内リングを示す。以下、実施例２及び実施例３において、上記した実施例１と同様の構成についてはその詳細な説明を省略する。
本実施例２の空気案内リング１０は、上記したように内側円環壁１２と、外側円環壁１３と、該内側円環壁１２と外側円環壁１３の間に形成された円環状空気通路１５と、該空気通路１５に所定間隔で配設された複数のベーン１６とから構成され、これらが回転テーブル５に固定されて回転テーブル５と同体に回転する。本実施例においてベーン１６は、回転テーブル５の回転方向に対して逆方向に空気流が形成されるように配設しても良いし、順方向に空気流が形成されるように配設してもよい。
【００２９】
本構成において実施例１と異なる点は、空気案内リング１０に設けた偏流リング１１の形状である。該偏流リング１１の断面形状は、三角状となっている。このように、断面三角状とすることによって、該偏流リング１１の下側傾斜面に沿って空気流が形成されるため、圧力損失が少なく好適である。尚、断面形状の効果を除く偏流リング１１の効果については実施例１と同様である。
【実施例３】
【００３０】
図３に本実施例３に係る竪型ローラミルの空気案内リングを示す。
本実施例１の空気案内リング１０は、上記したように内側円環壁１２と、外側円環壁１３と、該内側円環壁１２と外側円環壁１３の間に形成された円環状空気通路１５と、該空気通路１５に所定間隔で配設された複数のベーン１６とから構成され、これらが回転テーブル５に固定されて回転テーブル５と同体に回転する。本実施例ではベーン１６は、回転テーブル５の回転方向に対して逆方向に空気流が形成されるように配設される。好適にはベーンの取付角度が４５°程度となることが好ましい。
【００３１】
本実施例３の特徴的な構成として、内側円環壁１２と外側円環壁１３は互いに略平行に配置されるとともに、傾斜されて取付けられている。これらの円環壁１２、１３は、その上方が円環中心部に向けて縮径するように傾斜している。さらにこの傾斜角度は、水平方向に対して５０〜７０°とする。また、内側円環壁１２と外側円環壁１３の長さは略同一とする。
このように、円環壁１２、１３を中心に向けて傾斜させることにより、空気流と偏流板の衝突角度が小さくなり、偏流板１８の摩耗を低減することが可能となる。
また、円環壁１２、１３の傾斜角度を水平方向に対して６０°とした場合と、傾斜角度を８５°とした場合において、給炭量等を同条件として模擬試験を行った結果、傾斜角度６０°の場合は回転テーブル差圧が２５０ｍｍＡｑと適正な値となり、傾斜角度８５°の場合は回転テーブル差圧が２７５ｍｍＡｑと非常に高い値となった。この結果にも明らかなように、傾斜角度を５０〜７０°とすることにより回転テーブル差圧、さらには分級精度、スピレージ量等のミル特性を適正に保つことが可能で、且つ偏流板の摩耗を抑制できる竪型ローラミルを提供することができる。
【図面の簡単な説明】
【００３２】
【図１】本発明の実施例１に係る空気案内リングの側断面図である。
【図２】本発明の実施例２に係る空気案内リングの側断面図である。
【図３】本発明の実施例３に係る空気案内リングの側断面図である。
【図４】本発明の実施例に係る竪型ローラミルの全体構成を示す側断面図である。
【図５】図４に示した竪型ローラミルの空気案内リングの拡大図である。
【図６】従来の空気案内リングを示す側断面図である。
【符号の説明】
【００３３】
１      竪型ローラミル
２      ケーシング
３      固体原料供給手段
５      回転テーブル
７      ローラ
１０    空気案内リング
１１    偏流リング
１２    内側円環壁
１３    外側円環壁
１４    塞ぎ板
１５    空気通路
１６    ベーン
１８    偏流板
１９    セパレータ
２０    微粉出口管
【図１】
2007209838.tif 000003
【図２】
2007209838.tif 000004
【図３】
2007209838.tif 000005
【図４】
2007209838.tif 000006
【図５】
2007209838.tif 000007
【図６】
2007209838.tif 000008